(57)【要約】【課題】原稿の主走査方向の長さに基づいて、素早く原稿サイズを検知することができる画像形成装置を提供する。【解決手段】原稿台に載置された原稿を、主走査方向に配置されたラインセンサーを副走査方向に移動させて読み取る原稿読取部２と、ラインセンサーによって検出した原稿の主走査方向の長さと副走査方向の長さとに基づいて、原稿の原稿サイズと載置方向とを検知する原稿サイズ検知部８２とを備えた画像形成装置１であって、動作モード毎に原稿の載置方向を限定するか否かが設定された載置方向限定情報１０３を記憶する記憶部１０を具備し、原稿サイズ検知部８２は、載置方向限定情報１０３によって載置方向が限定された動作モードに設定されている場合、ラインセンサーによって検出した原稿の主走査方向の長さと載置方向限定情報１０３によって限定された載置方向とに基づいて、原稿サイズを検知する。【選択図】図３
2018082335.tif 000002
【特許請求の範囲】
【請求項１】
原稿台に載置された原稿を、主走査方向に配置されたラインセンサーを副走査方向に移動させて読み取る原稿読取部と、前記ラインセンサーによって検出した前記原稿の主走査方向の長さと副走査方向の長さとに基づいて、前記原稿の原稿サイズと載置方向とを検知する原稿サイズ検知部とを備えた画像形成装置であって、
動作モード毎に前記原稿の載置方向を限定するか否かが設定された載置方向限定情報を記憶する記憶部を具備し、
前記原稿サイズ検知部は、前記載置方向限定情報によって載置方向が限定された動作モードに設定されている場合、前記ラインセンサーによって検出した前記原稿の主走査方向の長さと前記載置方向限定情報によって限定された載置方向とに基づいて、前記原稿の原稿サイズを検知することを特徴とする画像形成装置。
【請求項２】
前記記憶部には、全ユーザー対象の前記載置方向限定情報と、ユーザー個人の前記載置方向限定情報とが記憶されており、
前記原稿サイズ検知部は、ユーザー認証部によって認証されたログインユーザーの前記載置方向限定情報を優先して用いることを特徴とする請求項１記載の画像形成装置。
【請求項３】
前記原稿サイズ検知部は、前記原稿の主走査方向の長さと前記載置方向限定情報によって限定された載置方向とに基づいて、前記原稿の原稿サイズを検知した場合、前記ログインユーザーから載置方向の修正指示を受け付けると、前記原稿の主走査方向の長さと修正を受け付けた載置方向とに基づいて、前記原稿の原稿サイズを検知し直すことを特徴とする請求項２記載の画像形成装置。
【請求項４】
前記ログインユーザーから載置方向の修正を受け付けた場合、前記原稿サイズ検知部は、前記ログインユーザーからの反映指示に基づいて、載置方向の修正を前記載置方向限定情報に反映させると共に、前記ログインユーザーからの限定削除指示に基づいて、載置方向の限定を前記載置方向限定情報から削除させることを特徴とする請求項３記載の画像形成装置。
【請求項５】
前記原稿サイズ検知部は、前記ログインユーザーの前記載置方向限定情報が前記記憶部に記憶されている場合、前記ログインユーザーの前記載置方向限定情報に対して前記反映指示もしくは前記限定削除指示を実行し、前記ログインユーザーの前記載置方向限定情報が前記記憶部に記憶されていない場合、全ユーザー対象の前記載置方向限定情報に対して前記反映指示もしくは前記限定削除指示を実行したものを前記ログインユーザーの前記載置方向限定情報として新たに生成し、前記記憶部に記憶させることを特徴とする請求項４記載の画像形成装置。
【発明の詳細な説明】
【技術分野】
【０００１】
本発明は、原稿台に載置された原稿を読み取る画像読取部を備えた画像形成装置に関する。
【背景技術】
【０００２】
ＭＦＰ（Multifunction Peripheral/Printer/Product）等の画像形成装置は、原稿台に載置された原稿を読み取って原稿画像を取得する画像読取部を備え、動作モードを切り替えることで、原稿画像を記録紙に記録する複写動作、原稿画像をファクシミリ送信するファクシミリ送信動作、原稿画像をインターネット等のネットワーク経由で送信するネットワーク送信動作、原稿画像をデータベースに記憶させる蓄積動作等を実行する。
【０００３】
このような画像形成装置の多くは、原稿台に載置された原稿の原稿サイズ及び載置方向を検知する自動原稿サイズ検知機能を備えている。そして、近年では、原稿サイズ検知用のセンサーを用いることなく、原稿を読み取るラインセンサーが用いて原稿サイズを検知する方法が採用されている。しかし、自動原稿サイズ検知にラインセンサーを用いる場合には、副走査方向の長さを特定するためにラインセンサーを移動させなければならないため、原稿サイズ検知に時間がかかってしまう。そこで、検知した原稿の主走査方向の長さに基づいて副走査方向の長さを特定することにより、原稿サイズを検知する時間を短縮させる方法が提案されている（例えば、特許文献１参照）。
【先行技術文献】
【特許文献】
【０００４】
【特許文献１】特開平０８−２３５３０６号公報
【発明の概要】
【発明が解決しようとする課題】
【０００５】
しかしながら、従来技術では、原稿台に縦向き及び横向きのいずれでも載置可能な原稿の場合、主走査方向の長さから副走査方向の長さを特定することができないため、副走査方向の長さを特定する時間がかかってしまい、原稿サイズを検知する時間を短縮できないという問題点があった。
【０００６】
本発明は、上記問題点を鑑みてなされたものであり、その目的とするところは、原稿台に縦向き及び横向きのいずれでも載置可能な原稿であっても、検知した原稿の主走査方向の長さに基づいて、素早く原稿サイズを検知することができる画像形成装置を提供することを目的とする。
【課題を解決するための手段】
【０００７】
本発明の画像形成装置は、原稿台に載置された原稿を、主走査方向に配置されたラインセンサーを副走査方向に移動させて読み取る原稿読取部と、前記ラインセンサーによって検出した前記原稿の主走査方向の長さと副走査方向の長さとに基づいて、前記原稿の原稿サイズと載置方向とを検知する原稿サイズ検知部とを備えた画像形成装置であって、動作モード毎に前記原稿の載置方向を限定するか否かが設定された載置方向限定情報を記憶する記憶部を具備し、前記原稿サイズ検知部は、前記載置方向限定情報によって載置方向が限定された動作モードに設定されている場合、前記ラインセンサーによって検出した前記原稿の主走査方向の長さと前記載置方向限定情報によって限定された載置方向とに基づいて、前記原稿の原稿サイズを検知することを特徴とする。
【０００８】
さらに、本発明の画像形成装置において、前記記憶部には、全ユーザー対象の前記載置方向限定情報と、ユーザー個人の前記載置方向限定情報とが記憶されており、前記原稿サイズ検知部は、ユーザー認証部によって認証されたログインユーザーの前記載置方向限定情報を優先して用いても良い。
【０００９】
さらに、本発明の画像形成装置において、前記原稿サイズ検知部は、前記原稿の主走査方向の長さと前記載置方向限定情報によって限定された載置方向とに基づいて、前記原稿の原稿サイズを検知した場合、前記ログインユーザーから載置方向の修正指示を受け付けると、前記原稿の主走査方向の長さと修正を受け付けた載置方向とに基づいて、前記原稿の原稿サイズを検知し直しても良い。
【００１０】
さらに、本発明の画像形成装置において、前記ログインユーザーから載置方向の修正を受け付けた場合、前記原稿サイズ検知部は、前記ログインユーザーからの反映指示に基づいて、載置方向の修正を前記載置方向限定情報に反映させると共に、前記ログインユーザーからの限定削除指示に基づいて、載置方向の限定を前記載置方向限定情報から削除させても良い。
【００１１】
さらに、本発明の画像形成装置において、前記原稿サイズ検知部は、前記ログインユーザーの前記載置方向限定情報が前記記憶部に記憶されている場合、前記ログインユーザーの前記載置方向限定情報に対して前記反映指示もしくは前記限定削除指示を実行し、前記ログインユーザーの前記載置方向限定情報が前記記憶部に記憶されていない場合、全ユーザー対象の前記載置方向限定情報に対して前記反映指示もしくは前記限定削除指示を実行したものを前記ログインユーザーの前記載置方向限定情報として新たに生成し、前記記憶部に記憶させても良い。
【発明の効果】
【００１２】
本発明によれば、載置方向限定情報によって載置方向が限定された動作モードでは、原稿台に縦向き及び横向きのいずれでも載置可能な原稿であっても、検知した原稿の主走査方向の長さに基づいて、素早く原稿サイズを検知することができ、作業効率を向上させることができるという効果を奏する。
【図面の簡単な説明】
【００１３】
【図１】本発明に係る画像形成装置の実施の形態の内部構成を示す断面模式図である。
【図２】図１に示す原稿台への原稿の載置例を示す図である。
【図３】図１に示す画像形成装置の概略構成を示すブロック図である。
【図４】図３に示す記憶部に記憶されている原稿サイズ情報例を示す図である。
【図５】図３に示す記憶部に記憶される載置方向限定情報例を示す図である。
【図６】図３に示す原稿サイズ検知部による自動原稿サイズ検知を説明するフローチャートである。
【図７】図３に示す操作部への表示例を示す図である。
【発明を実施するための形態】
【００１４】
以下、図を参照して本発明の実施の形態を詳細に説明する。なお、以下の実施形態において、同様の機能を示す構成には、同一の符号を付してある。
【００１５】
本実施の形態の画像形成装置１は、図１に示すように、原稿読取部２と、原稿台カバー３と、本体部４と、操作部５とを備えている。原稿読取部２は、本体部４の上部に配設され、操作部５は、本体部４の上部手前側に配設されている。
【００１６】
操作部５は、液晶表示部や各種操作ボタンが設けられている。ユーザーは操作部５を操作して指示を入力することで、動作モード等の各種の設定を行い、原稿画像を記録紙に記録する複写動作、原稿画像をファクシミリ送信するファクシミリ送信動作、原稿画像をインターネット等のネットワーク経由で送信するネットワーク送信動作、原稿画像をデータベースに記憶させる蓄積動作を実行させる。また、操作ボタンとしては、動作開始を指示するスタートボタン、動作中止を指示するストップ／クリアボタン、画像形成装置１の各種設定をデフォルト状態にする際に使用するリセットボタン、テンキー等が設けられている。
【００１７】
原稿読取部２は、スキャナー２１と、原稿台２２とを備えている。スキャナー２１は、ＬＥＤ（Light Emitting Diode）等を用いた光源２３と、ＣＣＤ（Charge Coupled Device）やＣＭＯＳ（Complementary Metal Oxide Semiconductor）等からなる主走査方向に配置されたラインセンサー２４とを備え、副走査方向に移動可能に構成されている。原稿台２２は、ガラス等の矩形状の透明部材により構成される。
【００１８】
本実施の形態における原稿の原稿台２２へのセット位置は、図２に示すように、原稿台２２における左奥側の角を基準とする。また、本実施の形態では、原稿Ａのように、長手方向を主走査方向に向けて配置した載置方向を「縦向き」と称し、原稿Ｂのように、長手方向を副走査方向に向けて配置した載置方向を「横向き」と称する。
【００１９】
原稿台カバー３は、画像形成装置１の奥側で図示しないヒンジ機構によって接続されており、原稿台カバー３を手前側から上方に開くことで、原稿読取部２上面の原稿台２２を開放可能な構成になっている。
【００２０】
本体部４は、給紙部６と、記録部７とを備えている。給紙部６は、複数枚の記録紙Ｐが収納される給紙カセットであり、収納されている記録紙Ｐを１枚ずつ記録部７に給送する。記録部７は、感光体ドラムと、原稿画像に基づいて感光体ドラムの表面に静電潜像を形成する光学ユニットと、静電潜像が形成された感光体ドラムの表面にトナーを付着させてトナー像を形成する現像部と、感光体ドラム上のトナー像を記録紙に転写する転写部と、加熱してトナー像を記録紙に定着させる定着装置とを備えている。
【００２１】
図３には、画像形成装置１の概略構成を示すブロック図が示されている。上述の原稿読取部２、操作部５、給紙部６及び記録部７は、制御部８に接続され、制御部８によって動作制御される。また、制御部８には、画像処理部９と、記憶部１０、通信部１１と、ファクス部１２とが接続されている。
【００２２】
制御部８は、ＣＰＵ（Central Processing Unit）、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部８のＣＰＵは、ＲＯＭに記憶されている制御プログラムを読み出し、制御プログラムをＲＡＭに展開させることで、操作部５から入力された所定の指示情報に応じて装置全体の制御を行う。また、制御部８は、載置方向受付部８１、原稿サイズ検知部８２として機能する。
【００２３】
画像処理部９は、画像データに対して所定の画像処理を行う手段であり、例えば、拡大縮小処理や、階調調整、濃度調整等の画像改善処理が行われる。
【００２４】
記憶部１０は、半導体メモリやＨＤＤ（Hard Disk Drive）等の記憶手段であり、原稿読取部２によって原稿を読み取ることで取得された原稿画像が記憶されると共に、各種の管理情報が記憶されている。また、記憶部１０には、管理情報として、原稿サイズ情報１０１と、ユーザー情報１０２とが記憶されている。
【００２５】
原稿サイズ情報１０１は、図４（ａ）に示すように、自動原稿サイズ検知の対象となる用紙の寸法情報である。本実施の形態において、原稿読取部２の原稿台２２は、Ａ３横置きまで対応可能な大きさであり、Ａ３、Ａ４、Ａ５、Ｂ４、Ｂ５を自動原稿サイズ検知の対象としている。
【００２６】
ユーザー情報１０２は、ユーザー認証のための情報である。制御部８は、操作部５や図示しないカードリーダー等から入力されたユーザーＩＤ等の識別情報と、ユーザー情報１０２とを照合することで、ログイン処理を実施し、認証されたユーザーをログインユーザーとして画像形成装置１の使用を許可する。
【００２７】
通信部１１は、ＬＡＮ等のネットワーク１３を介して、データベース１４との間で各種データを送受信する機能を有する。また、通信部１１は、ネットワーク１３及びルーター１５を介してインターネット１６に接続可能に構成されている。そして通信部１１は、インターネット１６に接続されている各種通信機器との間で各種データを送受信する機能を有する。
【００２８】
ファクス部１２は、モデムを有し、原稿読取部２によって読み取られた原稿画像からファクシミリ信号を生成し、生成したファクシミリ信号を電話回線網１７等のネットワークを介して送信する機能と、電話回線網１７を介してファクシミリ信号を受信し、受信したファクシミリ信号から画像ファイルを生成する機能とを備えている。なお、ファクシミリ受信機能により受信生成された画像ファイルは、記憶部１０に記憶されたり、記録部７によって記録紙に記録されたりする。
【００２９】
載置方向受付部８１は、実行する動作モードにおいて、原稿の載置方向を限定するか否かの設定を受け付け、記憶部１０に載置方向限定情報１０３として記憶させる。本実施の形態では、動作モードとして、複写動作と、ファクシミリ送信動作と、ネットワーク送信動作と、蓄積動作とがある。従って、載置方向限定情報１０３は、図５に示すように、複写動作、ファクシミリ送信動作、ネットワーク送信動作及び蓄積動作のそれぞれの動作モード毎に原稿の載置方向を限定するか否かの設定情報となる。また、載置方向限定情報１０３には、管理者権限で設定可能な全ユーザー対象のものと、各ユーザーが設定可能なユーザー個人対象のものがある。なお、図５に示す例では、フラグ「１」が載置方向の限定を示し、全ユーザー対象の載置方向限定情報１０３では、ファクシミリ送信動作で横置きに、蓄積動作で縦置きにそれぞれ載置方向が限定され、個人ユーザーであるユーザーＸの載置方向限定情報１０３では、ファクシミリ送信動作及び蓄積動作で横置きにそれぞれ載置方向が限定されている。
【００３０】
次に、原稿サイズ検知部８２による自動原稿サイズ検知について図６を参照して詳細に説明する。
【００３１】
制御部８は、自動原稿サイズ検知を実行するタイミング（例えば、図示しない開閉検出センサーによって原稿台カバー３の開閉を検出したタイミング）で原稿サイズ検知部８２として機能する。
【００３２】
原稿サイズ検知部８２は、まず、ログインユーザーの載置方向限定情報１０３が記憶部１０に記憶されているか否かを判断する（ステップＳ１）。そして、原稿サイズ検知部８２は、ステップＳ１でログインユーザーの載置方向限定情報１０３が記憶部１０に記憶されている場合、ログインユーザーの載置方向限定情報１０３を特定し（ステップＳ２）、ステップＳ１でログインユーザーの載置方向限定情報１０３が記憶部１０に記憶されていない場合、全ユーザー対象の載置方向限定情報１０３を特定する（ステップＳ３）。すなわち、ログインユーザーの載置方向限定情報１０３が記憶部１０に記憶されている場合、ログインユーザーの載置方向限定情報１０３が全ユーザー対象の載置方向限定情報１０３よりも優先されることになる。
【００３３】
次に、原稿サイズ検知部８２は、ステップＳ２もしくはステップＳ３で特定した載置方向限定情報１０３において、設定された動作モードで載置方向の限定があるか否かを判断する（ステップＳ４）。
【００３４】
ステップＳ４で載置方向の限定がない場合、原稿サイズ検知部８２は、原稿読取部２によって原稿の主走査方向の長さを検出させると共に（ステップＳ５）、原稿読取部２によって原稿の副走査方向の長さを検出させる（ステップＳ６）。そして、原稿サイズ検知部８２は、原稿サイズ情報１０１を参照し、主走査方向の長さと副走査方向の長さとで原稿サイズと載置方向とを特定し（ステップＳ７）、処理を終了させる。
【００３５】
ステップＳ４で載置方向の限定がある場合、原稿サイズ検知部８２は、限定されている載置方向を操作部５に表示させてユーザーに通知すると共に、原稿読取部２によって原稿の主走査方向の長さを検出させ（ステップＳ８）、限定された載置方向を判断する（ステップＳ９）。
【００３６】
ステップＳ９で限定された載置方向が縦向きである場合、原稿サイズ検知部８２は、原稿サイズ情報１０１を参照し、主走査方向の長さを長手方向の長さとする原稿サイズを特定し（ステップＳ１０）、処理を終了させる。例えば、ログインユーザーがユーザーＸであり、設定された動作モードが蓄積動作であった場合、図５に示すように、ユーザーＸの原稿サイズ情報１０１において、載置方向が縦向きに限定されている。この場合、ステップＳ８で主走査方向の長さとして２１０ｍｍが検出されると、ステップＳ１０において、２１０ｍｍを長手方向の長さとするＡ５が原稿サイズとして特定されることになる。
【００３７】
ステップＳ９で限定された載置方向が横向きである場合、原稿サイズ検知部８２は、原稿サイズ情報１０１を参照し、主走査方向の長さを短手方向の長さとする原稿サイズを特定し（ステップＳ１１）、処理を終了させる。
【００３８】
例えば、ログインユーザーがユーザーＸ以外であり、設定された動作モードが蓄積動作であった場合、図５に示すように、全ユーザー対象の原稿サイズ情報１０１において、載置方向が横向きに限定されている。この場合、ステップＳ８で主走査方向の長さとして２１０ｍｍが検出されると、ステップＳ１１において、２１０ｍｍを短手方向の長さとするＡ４が原稿サイズとして特定されることになる。
【００３９】
なお、ステップＳ１０及びステップＳ１１での原稿サイズの特定は、載置方向が限定されていることをログインユーザーが認識してなかったり、忘れていたりした場合、間違っている虞がある。そこで、原稿サイズ検知部８２は、図７（ａ）に示すような、ステップＳ１０もしくはステップＳ１１で特定した原稿サイズと、限定されている載置方向とを表記した載置方向修正画面５１を操作部５に表示させ、載置方向の修正を受け付けるようにしても良い。また、載置方向修正画面５１には、図７（ａ）に示すように、載置方向の修正指示を受け付ける載置方向修正指示キー５２を配置しておくと共に、載置方向の修正によって特定し直される原稿サイズを案内として表記しておくと良い。なお、載置方向修正画面５１にて載置方向修正指示キー５２が操作されることなく、スタートキーが操作された場合、制御部８は、ステップＳ１０もしくはステップＳ１１で特定した原稿サイズと、限定されている載置方向とに基づいて、設定されている動作を実行する。
【００４０】
さらに、原稿サイズ検知部８２は、ユーザーによる原稿サイズの修正を受け付けた場合、図７（ｂ）に示すような、載置方向限定情報１０３に反映させるか否かをユーザーに確認する反映確認画面５３を操作部５に表示させても良い。すなわち、原稿サイズの特定が間違っていたのは、ユーザーが原稿を載置した載置方向が限定されたものでなかったことに起因する。このため、載置方向の限定を修正する否かをユーザーに確認する。反映確認画面５３には、図７（ｂ）に示すように、載置方向限定情報１０３に反映を指示しない不反映指示キー５４と、載置方向限定情報１０３への反映を指示する反映指示キー５５と、載置方向限定情報１０３から載置方向の限定の削除を指示する限定削除指示キー５６とを配置しておく。
【００４１】
ログインユーザーの載置方向限定情報１０３が記憶部１０に記憶されている場合、原稿サイズ検知部８２は、反映指示キー５５もしくは限定削除指示キー５６が操作されると、ログインユーザーの載置方向限定情報１０３に対して反映指示もしくは限定削除指示を実行する。
【００４２】
ログインユーザーの載置方向限定情報１０３が記憶部１０に記憶されていない場合、原稿サイズ検知部８２は、反映指示キー５５もしくは限定削除指示キー５６が操作されると、全ユーザー対象の載置方向限定情報１０３に対して反映指示もしくは限定削除指示を実行してものをログインユーザーの載置方向限定情報１０３として新たに生成し、記憶部１０に記憶させる。
【００４３】
また、図４（ｂ）に示すように、Ａ４と短手方向の長さが同じで且つ長手方向の長さが異なるＦｏｌｉｏを自動原稿サイズ検知の対象に加える場合、載置方向を横向きと限定して主走査方向の長さのみでは判別することができなくなる。このような場合、図２に示すように、横向きのＡ４（原稿Ｂ）とＦｏｌｉｏ（原稿Ｃ）とを判別する位置に原稿検知センサー２５を配置し、原稿検知センサー２５による検出の有無によってＡ４とＦｏｌｉｏとを判別するようにしても良い。
【００４４】
以上説明したように、本実施の形態によれば、原稿台２２に載置された原稿の原稿画像を、主走査方向に配置されたラインセンサー２４を副走査方向に移動させて読み取る原稿読取部２と、ラインセンサー２４によって検出した原稿の主走査方向の長さと副走査方向の長さとに基づいて、原稿の原稿サイズと載置方向とを検知する原稿サイズ検知部８２とを備えた画像形成装置１であって、動作モード毎に原稿の載置方向を限定するか否かが設定された載置方向限定情報１０３を記憶する記憶部１０を具備し、原稿サイズ検知部８２は、載置方向限定情報１０３によって載置方向が限定された動作モードに設定されている場合、ラインセンサー２４によって検出した原稿の主走査方向の長さと載置方向限定情報１０３によって限定された載置方向とに基づいて、原稿の原稿サイズを検知する。
この構成により、載置方向限定情報１０３によって載置方向が限定された動作モードでは、原稿台に縦向き及び横向きのいずれでも載置可能な原稿であっても、検知した原稿の主走査方向の長さに基づいて、素早く原稿サイズを検知することができ、作業効率を向上させることができる。
【００４５】
さらに、本実施の形態において、記憶部１０には、全ユーザー対象の載置方向限定情報１０３と、ユーザー個人の載置方向限定情報１０３とが記憶されており、原稿サイズ検知部８２は、ユーザー認証部として機能する制御部８によって認証されたログインユーザーの載置方向限定情報１０３を優先して用いる。
この構成により、ユーザー毎に載置方向限定情報１０３をカスタマイズすることが可能になり、ユーザー毎の作業効率を向上させることができる。
【００４６】
さらに、本実施の形態において、原稿サイズ検知部８２は、原稿の主走査方向の長さと載置方向限定情報１０３によって限定された載置方向とに基づいて、原稿の原稿サイズを検知した場合、ログインユーザーから載置方向の修正指示を受け付けると、原稿の主走査方向の長さと修正を受け付けた載置方向とに基づいて、原稿の原稿サイズを検知し直す。
この構成により、載置方向が限定されていることを認識してなかったり、忘れていたりした場合、簡単に載置方向の修正を行うことができ、正しい原稿サイズ検知を実行させることができる。
【００４７】
さらに、本実施の形態において、ログインユーザーから載置方向の修正を受け付けた場合、原稿サイズ検知部８２は、ログインユーザーからの反映指示に基づいて、載置方向の修正を載置方向限定情報１０３に反映させると共に、ログインユーザーからの限定削除指示に基づいて、載置方向の限定を載置方向限定情報１０３から削除させる。
この構成により、ログインユーザーの使用状況に応じて載置方向限定情報１０３を簡単に修正することができる。
【００４８】
さらに、本実施の形態において、原稿サイズ検知部８２は、ログインユーザーの載置方向限定情報１０３が記憶部１０に記憶されている場合、ログインユーザーの載置方向限定情報１０３に対して反映指示もしくは限定削除指示を実行し、ログインユーザーの載置方向限定情報１０３が記憶部１０に記憶されていない場合、全ユーザー対象の載置方向限定情報１０３に対して反映指示もしくは限定削除指示を実行したものをログインユーザーの載置方向限定情報１０３として新たに生成し、記憶部１０に記憶させる。
この構成により、ログインユーザーの使用状況に応じた載置方向限定情報１０３を簡単生成することができる。
【００４９】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５０】
１  画像形成装置
２  原稿読取部
３  原稿台カバー
４  本体部
５  操作部
６  給紙部
７  記録部
８  制御部
９  画像処理部
１０  記憶部
１１  通信部
１２  ファクス部
１３  ネットワーク
１４  データベース
１５  ルーター
１６  インターネット
１７  電話回線網
２１  スキャナー
２２  原稿台
２３  光源
２４  ラインセンサー
２５  原稿検知センサー
５１  載置方向修正画面
５２  載置方向修正指示キー
５３  反映確認画面
５４  不反映指示キー
５５  反映指示キー
５６  限定削除指示キー
８１  載置方向受付部
８２  原稿サイズ検知部
１０１  原稿サイズ情報
１０２  ユーザー情報
１０３  載置方向限定情報
【図１】
2018082335.tif 000003
【図２】
2018082335.tif 000004
【図３】
2018082335.tif 000005
【図４】
2018082335.tif 000006
【図５】
2018082335.tif 000007
【図６】
2018082335.tif 000008
【図７】
2018082335.tif 000009